(57)【要約】 【課題】  ベルト装着用の小型バックやポーチをズボンのループに通したベルトに装着した際、バックやポーチが邪魔な位置にあってもベルトループの間しか移動できず不便であった。【解決手段】  内側と外側の２本のベルトをバックル及び移動可能な固定具で固定し、内側のベルトでズボンのループ全てを通しベルト本来の機能を果たし、外側のベルトはズボンのループの最初と最後だけ通し、この間はベルト固定具又は独立したベルトループを任意の場所に取り付け２本のベルトを一体化する構成にした。  これにより、外側のベルトにバックやポーチを装着し、ベルト全体をズボンのループに妨げられず自由に移動させることを可能にした。【選択図】  図１
2010100978.tif 000002
【特許請求の範囲】
【請求項１】
ウエストバックを装着するためのベルトにおいて、内側と外側の２本のベルトを重ねその一方をバックルまたは固定具で固定し、外側のベルトにウエストバッグを通したうえで、２本のベルトのもう一方を固定具またはバックルで止め、更に必要により中間固定具で固定することを特徴とするウエストバック装着用ベルト。
【請求項２】
内側に、ズボンの最初から最後のループに届く程度の長さのベルトをズボンの全てのループに通して巻き、外側の通常使用されているベルトにウェストバックを装着したうえで最初と最後のループのみを通し巻き、内側ベルトの両端の位置に固定具を付け、外側と内側のベルトを接着固定し、更に取り付け位置を移動することができる中間固定具で固定し、外側のベルトを通常に結着することを特徴とする請求項１のウェストバック装着用ベルト。
【発明の詳細な説明】
【技術分野】
【０００１】
本発明は、小型バックやポーチを装着するためのベルトに関する。 
【背景技術】
【０００２】
従来のズボン用ベルトは、ズボンのずり落ち防止のためのものであり、ズボンのベルトループを通して使用していた。  小型のバックやポーチをベルトに装着しようとすると、ループに通したベルトの装着しようとする位置にあるループとループの間で、ベルトをはずして通さなければならなかった。  下記の特許文献１には、ベルトにボタンで装着するためのバックが出願されている。
【特許文献１】特開２００２−３６０３２４公報
【発明の開示】
【発明が解決しようとする課題】
【０００３】
従来のベルトでは、ズボンの途中のループの間に装着したバックやポーチは、二つのループの間でしか移動させることができなく、椅子に座ったときに邪魔になったり、逆に手が届きにくかったりしても、その都度適した位置に移動することができなかった。
【０００４】
又、特許文献１は従来のベルトにボタンなどで付けたり外したりするバックであるが、バックを移動する場合いちいちボタンなどを付けたり外したりしなければならなかった。  本発明は、上記問題点を解決し、ズボン着用補助具としてのベルトの機能を果たしつつ、その都度より適した位置にバックやポーチをいちいち取り外すことなく、ズボンのループに邪魔されずにベルト全体に沿って移動することができるベルトを開発することを課題とした。
【課題を解決するための手段】
【０００５】
上記課題を解決するために、内側と外側の２本のベルトを重ねて、その一方をバックル
又は固定具で固定し、外側のベルトにウェストバックを通した上で、２本のベルトのもう一方を固定具又はバックルで止め、更に必要により中間固定具で固定することを特徴とする。
【０００６】
内側のベルトはズボンに装着されたループに全て通し、通常のズボン着用補助具としての機能を果たす。  外側のベルトは、ズボンに装着されたループの最初と最後のループのみに通し、他のループを通さないことによりこの間に装着したバックやポーチ等は、ズボンのループに邪魔されず移動させることを可能にする。
【０００７】
内側と外側の２本のベルトを密着一体化させることを目的とし、ベルト固定具を装着する。  これによりズボン着脱の際外側のベルトがバックやポーチの重みでずり落ちることを防止する。
【０００８】
更に必要により、ベルトの任意の場所で簡易に脱着させることを可能とした任意設置ベルトループを装着し、よりベルトの密着一体化を強化する。  この独立した任意設置ベルトループは、２本のベルトを巻き込むように密着させ内側のベルトの裏でボタン又は面テ
ープ等で接着固定する。 
【発明の効果】
【０００９】
上述したように本発明のベルトは、ズボン着用時の補助具としての機能を保持しつつ、ベルト装着用の小型バックポーチを装着した際、バックやポーチをズボンのベルトループに邪魔されずベルト全体に沿って移動することにより、着用者がその都度最も適した位置にバックやポーチを設置できるという効果を発揮する。
【００１０】
更に、ベルト固定具や任意設置ベルトループで上述の２本のベルトを密着固定し一体化することにより２本のベルトは、ずれも生ぜず外見上も表面のベルト１本と視認され、違和感も生ぜず、又、ベルト固定具や任意設置ベルトループは任意の場所に設置できるため、設置者の都合により設置場所や個数を設定できる。
【発明を実施するための最良の形態】
【００１１】
以下、実施の形態を本発明の実施の一例に基づいて、図面を参照しつつ詳細に説明する。 
【実施例１】
【００１２】
実施例１は図１と図２に示すように、２本のベルトを重ねてその左端部をベルトバックル４で固定したものであり、外側ベルト１の右端部に、ベルトバックル４に止める固定穴１１を複数個設ける。  固定穴付き内側ベルト２は右端部に、固定穴２１の数をベルト１の凡そ２倍程度設ける。  ベルト２はズボンの全てのループに通して、ズボン付属ループ７６付近でベルト１とともにベルト固定具５で固定し、先端部は２本一緒にベルトバックル４で固定する。  
【００１３】
ベルトの外側と内側ではベルトの長さに差が出るため、固定穴付き内側ベルト２の固定穴２１を、外側ベルト１の固定穴１１の数の倍数程度設けることにより、２本のベルトそれぞれの最も適した位置にある穴を、ベルトバックル４のベルト穴通し固定部４２に同時に通し、２本のベルトを同時に固定する。
【実施例２】
【００１４】
実施例２は図１と図３に示すように２本のベルトを重ねて固定具で同時に固定したもので、固定穴無し内側ベルト３は外側ベルト１の固定穴１１の手前程度の長さで外側ベルト１よりも短く、ズボンの全てのループに通し、ループ７とループ６付近で外側ベルト１とともにベルト固定具５で固定し、これにより先端部分はベルト１のみをベルトバックル４で固定する。
【００１５】
固定穴無し内側ベルト３は、外側ベルトが市販されているベルトの場合でも使用でき、ベルト固定具５をズボン付属ループ７と７６付近に装着することにより、既存のほとんどのベルトに装着し使用できる。  又、この内側ベルト３は市販されているベルトに装着してもよく、この場合いろいろなデザインで表面を装飾することによりファッション的にも変化を楽しむことができる。
【００１６】
このように本発明は、実施例１、実施例２のように、ベルト１とベルト２、又はベルト１とベルト３のそれぞれ２本のベルトを組み合わせ使用してもよいし、ベルト１と２又はベルト１と３をそれぞれ１本のベルトを折り返し使用してもよい。  折り返し使用する場合は、ベルトの一方の端部にベルト１の固定穴１１を設け、反対側端部をベルト２又はベルト３と同様の形式とし、それぞれのベルトの適宜の場所で、ベルト固定穴１１がベルト装着時外側にくるようにベルトバックル４の折り返し支柱棒４４で折り返し、ベルト固定部４１を矢印方向に閉じ２本のベルトを圧着固定する。
【００１７】
ベルトバックル４は上述のように、ベルトの一端をベルト圧着固定部４１で圧着固定し、ズボンループに沿って一周して戻ってきたベルトの先端部を、ベルト穴通し固定部４２で固定、ベルトバックル付属ループでベルト先端部の跳ね上がりを防止するとともに、ベルト１本を折り返し使用する場合は、ベルト折り返し支柱棒４４で巻き込み折り返し、ベルト圧着固定部４１で圧着固定する。
【００１８】
ベルト固定具５は、ベルト固定具圧着部５１を矢印方向に閉じることにより２本のベルトを挟み圧着固定する。  この固定具は内側のベルトが固定穴付き内側ベルト２の場合は固定穴２１で固定するため使用しなくともよいが、使用する事により、よりベルトの固定一体化が強化され、又、固定穴無し内側ベルト３の場合はベルト固定具５を使用する事により外側のベルト１と固定し、２本のベルトを一体化する。
【００１９】
任意設置ベルトループ６は、外側内側の２本のベルトを巻き込み密着固定し、任意設置ベルトループ接着部６１にボタン又は面テープ等を装備し、これにより接着一体化させる。
【００２０】
Ａはベルト使用例正面図で、Ｂはベルト使用例背面図である。  本件発明のベルト及びベルトバックル４、ベルト固定具５、任意設置ベルトループ６の使用例であり、７・７１・７２・７３・７４・７５・７６は、ズボン付属ループである。  
【００２１】
以下、一連の使用方法を説明する。  内側ベルト２又は内側ベルト３は通常のベルトと同様にズボンのループ全てに通し、ズボンのずり落ち防止というベルト本来の目的を果たすため使用する。
【００２２】
外側ベルト１はウェストバックやポシェット等を装着し、ズボン付属ループ７と７６のみを通し、その両端をベルト２又はベルト３とともに、ベルトバックル４及びベルト固定具５を適宜使用し固定一体化する。  更に、任意ベルトループ６で、ベルト１がスボンに設けられたループを通らないことによる、たるみやずれの不具合をなくすため、適宜任意の場所でベルト１とベルト２又はベルト３を一緒に巻き込み密着固定し、２本のベルトを一体化する。
【００２３】
外側ベルト１と内側ベルト２又は３は、別個独立したものでも、一本の長いベルトを折り返し使用してもよい。
【００２４】
ベルト３は外側ベルトが市販されているベルトの場合でも使用でき、ベルト固定具５をズボン付属ループ７と７６付近に装着することにより、既存のほとんどのベルトもベルト１と同様にウェストバックやポシェットを装着使用できる。
【００２５】
以上述べた使用法によると、ベルト１はズボン付属のベルトループ７から７６の間でウェストバック・ポシェット等を装着した際、自由にスライドさせ位置を移動でき、その使用範囲はベルト固定具５及び任意設置ベルトループ６の設置位置と個数で任意に決められる。  更にベルト１をベルトループ７３に通せば任意設置ベルトループ６を使用せず、ベルトループ７からベルトループ７３及びベルトループ７３からベルトループ６の間を自由に移動できる。
【００２６】
以上述べたように本発明により、ベルト２又はベルト３によりズボンのずり落ち防止というベルト本来の目的を果たすとともに、ベルト１に装着したウェストバック・ポーチ等は、ベルトループ７から、ベルトループ７６の間をズボン付属のベルトループに妨げられることなく自由に移動でき、更にベルト１とベルト２又はベルト３は、ベルトバックル４、ベルト固定具５、任意設置ベルトループ６を適宜使用する事により固定され、ずれも生ぜず一体化し、バックやポーチを自由に移動できるように装着しつつも、一本のベルトのように視認されるという効果が得られるものである。  更にベルト３は、ベルト固定具５を使用する事により単独で、市販のベルトに固定することにより、本発明のベルトと同様の効果を得られるものである。
【図面の簡単な説明】
【００２７】
【図１】本発明の正面図
【図２】実施例１の説明図
【図３】実施例２の説明図
【図４】ベルト接着用バックルの斜視図
【図５】ベルト固定具の斜視図
【図６】任意設置ベルトループの斜視図
【図７】本発明のベルト使用例を示す図(Ａは正面図を示す、Ｂは背面図を示す）
【符号の説明】
【００２８】
１    外側ベルト 
１１  外側ベルト固定穴 
２    固定穴付き内側ベルト
２１  固定穴付き内側ベルト固定穴 
３    固定穴無し内側ベルト
４    ベルトバックル
４１  ベルト圧着固定部 
４２  ベルト穴通し固定部 
４３  ベルトバックル付属ループ 
４４  ベルト折り返し支柱棒 
５    ベルト固定具 
５１  ベルト固定具圧着部 
６    任意設置ベルトループ 
６１  任意設置ベルトループ接着部 
７    ズボン付属ループ 
７１  ズボン付属ループ 
７２  ズボン付属ループ 
７３  ズボン付属ループ 
７４  ズボン付属ループ 
７５  ズボン付属ループ 
７６  ズボン付属ループ 
【図１】
2010100978.tif 000003
【図２】
2010100978.tif 000004
【図３】
2010100978.tif 000005
【図４】
2010100978.tif 000006
【図５】
2010100978.tif 000007
【図６】
2010100978.tif 000008
【図７】
2010100978.tif 000009
【手続補正書】
【提出日】平成22年2月1日(2010.2.1)
【手続補正１】
【補正対象書類名】特許請求の範囲
【補正対象項目名】請求項２
【補正方法】変更
【補正の内容】
【請求項２】
両端に固定具を装備し、ズボンの最初のループから最後のループに届く程度の長さのベルトで、通常使用している市販のベルトの内側叉は外側に装備の固定具で固定し、内側に位置したベルトはズボンの全てのループに通し、外側に位置したベルトはズボンの最初と最後のループのみに通し、このループを通さない間にウエストバックを取り付けることにより、取り付けたウエストバックを自由に移動できることを可能にした、市販のベルトにも装着使用できることを特徴とする、ウエストバック装着用ベルト。
【手続補正２】
【補正対象書類名】明細書
【補正対象項目名】００１５
【補正方法】変更
【補正の内容】
【００１５】
固定穴なし内側ベルト３は、外側ベルトが市販されているベルトの場合でも使用でき、ベルト固定具５をズボン付属ループ７と７６付近に装着することにより、既存のほとんどのベルトに装着し使用できる。叉、この内側ベルト３は外側ベルトとして装着使用することもでき、この場合いろいろなデザインで表面を装飾することによりファッション的にも変化を楽しむことができる。